(57)【要約】  この管接続は、シャワートイレ便器ボウルを洗浄水供給部の供給ラインＺと結合するよう機能する。その管接続が流入部（１）と流出部（２）を含んだ管接続であり、流出部（２）がシャワートイレ便器ボウル内に流入する第１および第２の少なくとも２本の分岐アーム（３，４）を備える。【選択図】図１
2013543547.tif 000002
【特許請求の範囲】
【請求項１】
シャワートイレ便器ボウルを洗浄水供給部の供給ラインＺと結合するための流入部（１）と流出部（２）を含んだ管接続であり、流出部（２）がシャワートイレ便器ボウル内に流入する第１および第２の少なくとも２本の分岐アーム（３，４）を備えることを特徴とする管接続。
【請求項２】
第１の分岐アーム（３）は洗浄水を誘導する第１の流路（５）を備え、第２の分岐アーム（４）が洗浄水を誘導する第２の流路（６）を備えることを特徴とする請求項１記載の管接続。
【請求項３】
第１の分岐アーム（３）がシャワートイレ便器ボウルからの臭気吸引用の追加的な還流路（７）を備えることを特徴とする請求項２記載の管接続。
【請求項４】
供給装置（１０）を介してボイラと結合可能であることを特徴とする請求項１ないし３のいずれかに記載の管接続。
【請求項５】
第２の分岐アーム（４）がボイラからの越流水を排出するための流路（８）を追加的に備えることを特徴とする請求項４記載の管接続。
【請求項６】
シャワートイレ便器ボウル内に流入する臭気吸引用の還流路（７）が臭気を吸引するための排出装置（９）に結合されることを特徴とする請求項１ないし５のいずれかに記載の管接続。
【請求項７】
洗浄水を誘導する流路（５，６）を第１あるいは第２の分岐アーム（３，４）内に内部分割して配置されることを特徴とする請求項３ないし６のいずれかに記載の管接続。
【請求項８】
洗浄水を誘導する流路（５，６）がいずれも第１および第２の分岐アーム（３，４）の管ノズル（１１，１２）の部分断面によって形成されることを特徴とする請求項２ないし７のいずれかに記載の管接続。
【請求項９】
臭気吸引用の排出装置（９）がフィルタと組み合わされることを特徴とする請求項６ないし８のいずれかに記載の管接続。
【請求項１０】
臭気吸引用の還流路（７）が第１の分岐アーム（３）の管ノズル（１１）の部分断面によって形成されることを特徴とする請求項３ないし９のいずれかに記載の管接続。
【請求項１１】
ボイラからの越流水を排出するための流路（８）が第２の分岐アーム（４）の管ノズル（１２）の部分断面によって形成されることを特徴とする請求項３ないし１０のいずれかに記載の管接続。
【請求項１２】
第１の流路（５）と還流路（７）が第１の分岐アーム（３）の管断面の一部を介して延在することを特徴とする請求項２ないし１１のいずれかに記載の管接続。
【請求項１３】
第２の流路（５）とボイラの越流水の排出用の流路（８）が第２の分岐アーム（４）の管断面の一部を介して延在することを特徴とする請求項２ないし１２のいずれかに記載の管接続。
【請求項１４】
便器部材に取り付けるための前面インタフェースと家屋側の設置面に取り付けるための背面インタフェースを備える技術ユニット内に収容されることを特徴とする請求項１ないし１３のいずれかに記載の管接続。
【発明の詳細な説明】
【技術分野】
【０００１】
この発明は、シャワートイレ便器ボウルを洗浄水供給部の供給ラインと結合するための管接続に関する。
【背景技術】
【０００２】
シャワートイレは管接続を介して洗浄水供給部の供給ラインに結合される。その供給ラインを介し管システムからの洗浄水が流入スリーブを通じて一般的にセラミックボウルとされるシャワートイレ便器ボウル内に流入する。
【０００３】
技術の進歩によって過去のシャワートイレの開発が改善されている。それによってシャワートイレが多くの技術的機能を満たすことが可能になった。例えば、通常便座を体温に温めることができる。さらに米国特許第６，３２７，７１８号明細書により、水温および水圧を選択可能なシャワートイレが知られている。そのため、シャワーアームによって温水が噴射される。その際噴射の前に温水を空気と混合することができる。
【０００４】
さらに、便座が臭気をフィルタリングするファンを備えるか、および／または便器自体が吸気装置を備えることが知られている。特開平７−２６８９２８号公報には臭気を吸引する装置を備えたシャワートイレが記載されている。吸気ファンによって便器ボウルの内部からガス状の媒体を吸引して浄化装置に誘導する。この浄化装置は臭気ガスを分解するオゾンを含んだ触媒を備える。浄化されたガスは周囲環境中に放出される。
【０００５】
さらに、特開平１−６２５３０号公報により、吸引管を介して便器ボウルの内部から空気を吸引するシャワートイレが知られている。吸引管の閉塞に際しては測定装置が空気の逆流を判定してマイクロコンピュータに信号を送信し、そのマイクロコンピュータが表示を発生する。
【発明の概要】
【発明が解決しようとする課題】
【０００６】
本発明の目的は、シャワートイレの構造的な設計自由度を向上させる、シャワートイレ便器ボウルを洗浄水供給部の供給ラインと結合するための管接続あるいは流入スリーブを提供することにある。
【課題を解決するための手段】
【０００７】
前記の課題は、請求項１の特徴を備えた管接続によって解決される。
【０００８】
それにより、分岐アームを使用して複数の機能を統合することができるインタフェースを形成する管接続が提供される。通常は中央にある取り入れ口を側方にずらすことによってシャワー技術の取り付けを改善するための場所が形成される。さらに、洗浄水が少なくとも２本の管路に分配されてシャワートイレ便器ボウル内に流入することが好適である。従ってシャワートイレ便器ボウルの洗浄が改善される。
【０００９】
好適な実施形態によれば、同じインタフェースで洗浄水が供給されるだけでなく、越流路と臭気吸引路が追加的に内蔵される。従って、３つの機能、すなわち給水／ボイラ越流／臭気吸引を２つの分岐アームのみによって達成することができる。
【００１０】
洗浄水を誘導する流路を下方に埋入して配置することが好適である。洗浄水を誘導する流路のシャワートイレ便器ボウル内に導入は、洗浄水の流れがシャワートイレ便器ボウルの最適な洗浄を可能にするように選定することができる。その際洗浄水を誘導する流路は、分岐アームの越流路として流出部の管ノズルに内蔵させることができる。従って各流路がいずれも部分断面を形成する。各流路がそれぞれ実質的に略半分の部分断面を占めることが好適である。越流路にはボイラから給入が行われる。
【００１１】
さらに、分岐アームの断面、すなわち管ノズルが水平に分割される円形の断面を有することが好適である。
【００１２】
本発明に係る管接続は、便器部材に取り付けるための前面インタフェースと家屋側の設置面に取り付けるための背面インタフェースを備える技術ユニット内に収容することができる。
【図面の簡単な説明】
【００１３】
【図１】管接続の流出部を示した概略図である。
【図２】管接続の流入部を示した概略図である。
【発明を実施するための形態】
【００１４】
図１および図２には、シャワートイレ便器ボウル（図示されていない）を洗浄水供給部の供給ライン（図示されていない）と結合するための管接続が示されている。本発明は、洗浄水の分配、臭気吸引、ならびにボイラからの越流水の排出を統合する、いわゆる管システムに関するものである。
【００１５】
そのため管接続が流入部１と流出部２を含む。流出部２はシャワートイレ便器ボウル内に接続する第１および第２の少なくとも２本の分岐アーム３，４を備え、それらが洗浄水を誘導する第１および第２の流路５および６をそれぞれ備える。加えて、分岐アーム３がシャワートイレ便器ボウルからの臭気吸引用の還流路７を備える。還流路７は臭気吸引用の排出装置９に結合することができる。
【００１６】
さらに、第２の分岐アーム４はボイラの越流を排出するための流路８を備えることができる。流路８はボイラの越流水の供給装置１０に接続することができる。
【００１７】
すなわち、流入部１を介して洗浄水が管接続あるいは管システム内に流入する。内部で洗浄水が第１および第２の分岐アーム３，４に分流され、すなわちそこで洗浄水を誘導する第１および第２の流路５，６に配分される。洗浄水を誘導する流路５，６はシャワートイレ便器ボウル内で終止し、その際好適には同等な開口部をもって終止する。流入した洗浄水によってシャワートイレ便器ボウルが洗浄される。
【００１８】
さらに図１により、両方の分岐アーム３，４の各管ノズル１１，１２の断面が分割されることが示されている。洗浄水を誘導する流路５，６は管断面の一部、特に下側半分を介して管接続からシャワートイレ便器ボウルに延在することが好適である。
【００１９】
管断面の他方の一部、特に両方の分岐アーム３，４の各管ノズル１１，１２の上側半分はいずれも排出路である。好適には臭気吸引のための還流路７がガスを放出および／または吸引するための排気部を形成する。ボイラの越流水の排出のための流路８はシャワートイレ便器ボウル内に流入する。
【００２０】
上方の部分、特に第１の分岐アーム３の管ノズル１１の上側半分がシャワートイレ便器ボウルの内部の臭気を吸引するよう機能する。臭気は排出装置９によって排出され、そのため排出装置９は例えば長手方向のスリットとして構成することができる。加えて、その長手方向にスリットにフィルタを装着および／または内蔵させることができる。
【００２１】
両方の分岐アーム３，４の管ノズル１１，１２が円形に形成される場合、その円形の断面を水平に分割して両方の流路５，６と臭気吸引用の還流路７あるいはボイラの越流水排出用の流路８を形成することが好適である。
【００２２】
前述したように、本発明によってシャワートイレの改善された使用形態が可能になる。それによって複数の機能、例えば洗浄、越流、および臭気吸引等を内蔵することができる。さらに、分岐の形成によって中央の空間に下方シャワー装置の配管ならびにシャワートイレのその他の機能等の設備を小型に構成することができる。
【図１】
2013543547.tif 000003
【図２】
2013543547.tif 000004
【手続補正書】
【提出日】平成23年8月26日(2011.8.26)
【手続補正１】
【補正対象書類名】特許請求の範囲
【補正対象項目名】全文
【補正方法】変更
【補正の内容】
【特許請求の範囲】
【請求項１】
シャワートイレ便器ボウルを洗浄水供給部の供給ラインＺと結合するための流入部（１）と流出部（２）を含んでいて、前記流出部（２）がシャワートイレ便器ボウル内に流入する第１および第２の少なくとも２本の分岐アーム（３，４）を備え、また前記第１の分岐アーム（３）は洗浄水を誘導する第１の流路（５）を備えるとともに前記第２の分岐アーム（４）が洗浄水を誘導する第２の流路（６）を備えてなる管接続であり、第１の分岐アーム（３）がシャワートイレ便器ボウルからの臭気吸引用の追加的な還流路（７）を備えることを特徴とする管接続。
【請求項２】
供給装置（１０）を介してボイラと結合可能であることを特徴とする請求項１記載の管接続。
【請求項３】
第２の分岐アーム（４）がボイラからの越流水を排出するための流路（８）を追加的に備えることを特徴とする請求項２記載の管接続。
【請求項４】
シャワートイレ便器ボウル内に流入する臭気吸引用の還流路（７）が臭気を吸引するための排出装置（９）に結合されることを特徴とする請求項１ないし３のいずれかに記載の管接続。
【請求項５】
洗浄水を誘導する流路（５，６）を第１あるいは第２の分岐アーム（３，４）内に内部分割して配置されることを特徴とする請求項１ないし４のいずれかに記載の管接続。
【請求項６】
洗浄水を誘導する流路（５，６）がいずれも第１および第２の分岐アーム（３，４）の管ノズル（１１，１２）の部分断面によって形成されることを特徴とする請求項１ないし５のいずれかに記載の管接続。
【請求項７】
臭気吸引用の排出装置（９）がフィルタと組み合わされることを特徴とする請求項４ないし６のいずれかに記載の管接続。
【請求項８】
臭気吸引用の還流路（７）が第１の分岐アーム（３）の管ノズル（１１）の部分断面によって形成されることを特徴とする請求項１ないし７のいずれかに記載の管接続。
【請求項９】
ボイラからの越流水を排出するための流路（８）が第２の分岐アーム（４）の管ノズル（１２）の部分断面によって形成されることを特徴とする請求項１ないし８のいずれかに記載の管接続。
【請求項１０】
第１の流路（５）と還流路（７）が第１の分岐アーム（３）の管断面の一部を介して延在することを特徴とする請求項９記載の管接続。
【請求項１１】
第２の流路（５）とボイラの越流水の排出用の流路（８）が第２の分岐アーム（４）の管断面の一部を介して延在することを特徴とする請求項１０記載の管接続。
【請求項１２】
便器部材に取り付けるための前面インタフェースと家屋側の設置面に取り付けるための背面インタフェースを備える技術ユニット内に収容されることを特徴とする請求項１ないし１１のいずれかに記載の管接続。
【国際調査報告】
2013543547.tif 000005
2013543547.tif 000006
2013543547.tif 000007
2013543547.tif 000008
2013543547.tif 000009
2013543547.tif 000010